(57)【特許請求の範囲】
【請求項１】
窓下框の下面に固定されて該窓下框を、レールの片側面に隣接して隙間部材が装着されることによってバリアフリー形態に変更された窓下枠に適合可能にせしめるアタッチメントにして、
該窓下框の延在方向に水平に延在する主部と、該主部と一体に成形され且つ該主部の下面から垂下する垂下部とを含み、該主部の下面及び該垂下部の片側面には気密手段が装着されており、該主部の上面両側部が該窓下框の下面両側部に当接せしめられ、該垂下部の該片側面が該レールの他側面上端部に対向して位置せしめられる、ことを特徴とするアタッチメント。
【請求項２】
該主部の上面中央部には、該窓下框の下面中央部に規定され且つ下方に開口している受入空間内に挿入される中空突出部が一体に成形されており、該中空突出部は幅方向に間隔をおいて該主部の上面から上方に鉛直に突出する一対の直立壁部と該一対の直立壁部の上端間を延在する水平壁部とから構成されており、該中空突出部を該受入空間内に固定することによって該窓下框に固定される、請求項１記載のアタッチメント。
【請求項３】
該気密手段は、該主部の下面中央部に装着されて該レールの上面に作用する気密部材と、該主部の下面片側部に装着され該隙間部材の上面に作用する気密部材と、該垂下部の該片側面に装着され該レールの該他側面上端部に作用する気密部材とから構成されている、請求項１又は２記載のアタッチメント。
【発明の詳細な説明】
【技術分野】
【０００１】
本発明は、窓下框に固定されるアタッチメント、更に詳しくは窓下框の下面に固定されて窓下框を、レールの片側面に隣接して隙間部材が装着されることによってバリアフリー形態に変更された窓下枠に適合可能にせしめるアタッチメントに関する。
【背景技術】
【０００２】
建造物のテラス或いはバルコニーに面した外壁には居住者が室内からテラス或いはベランダに出入りすることを許容する掃き出し窓が配設されている。そして、かような掃き出し窓は、外壁に固定された窓枠及びこの窓枠内に摺動自在に収容された可動障子を備えている。窓枠は全体として矩形状であり、窓下枠、窓上枠、窓左側枠及び窓右側枠から構成されている。障子も全体して矩形状であり、窓下框、窓上框、窓左側框及び窓右側框並びにこれらの窓框に囲繞されたガラスから構成されている。
【０００３】
下記特許文献１乃至３には、上記のとおりの窓枠における窓下枠をバリアフリー形態に変更する、更に詳しくは窓下枠のレールの片側面に隣接して隙間部材を装着し窓下枠の上面を可及的に平坦なものにせしめてバリアフリー形態に変更する、ことが開示されている。
【先行技術文献】
【特許文献】
【０００４】
【特許文献１】特開２００４−３５３４３５号公報
【特許文献２】特開２００６−２３３４５４号公報
【特許文献３】特開２００９−２９３３５５号公報
【発明の概要】
【発明が解決しようとする課題】
【０００５】
而して、上記特許文献１乃至３の開示に従って窓下枠をバリアフリー形態に変更した場合、従来は、これに応じて窓下框をこれまでの形状とは異なりバリアフリー形態に変更された窓下枠に適合される新たな形状のものに代えること、従って通常は窓下框のみならず窓上框、窓左側框及び窓右側框を新たな形状のものに代えることが必要であり、相当なコストを必要としていた。
【０００６】
本発明は上記事実に鑑みてなされたものであり、その主たる技術的課題は、窓下框の下面に固定することによって窓下框を、窓下枠のレールの片側面に隣接して隙間部材を装着してバリアフリー形態に変更された窓下枠に適合可能にせしめるアタッチメントを提供し、かくして窓下框を含む窓框を新たな形状のものに代える必要性を回避してコストの増大を抑制することである。
【課題を解決するための手段】
【０００７】
本発明によれば、上記主たる技術的課題を達成するアタッチメントとして、窓下框の下面に固定されて該窓下框を、レールの片側面に隣接して隙間部材が装着されることによってバリアフリー形態に変更された窓下枠に適合可能にせしめるアタッチメントにして、
該窓下框の延在方向に水平に延在する主部と、該主部と一体に成形され且つ該主部の下面から垂下する垂下部とを含み、該主部の下面及び該垂下部の片側面には気密手段が装着されており、該主部の上面両側部が該窓下框の下面両側部に当接せしめられ、該垂下部の該片側面が該レールの他側面上端部に対向して位置せしめられる、ことを特徴とするアタッチメントが提供される。
【０００８】
好ましくは、該主部の上面中央部には、該窓下框の下面中央部に規定され且つ下方に開口している受入空間内に挿入される中空突出部が一体に成形されており、該中空突出部は幅方向に間隔をおいて該主部の上面から上方に鉛直に突出する一対の直立壁部と該一対の直立壁部の上端間を延在する水平壁部とから構成されており、該中空突出部を該受入空間内に固定することによって該窓下框に固定される。該気密手段は、該主部の下面中央部に装着されて該レールの上面に作用する気密部材と、該主部の下面片側部に装着され該隙間部材の上面に作用する気密部材と、該垂下部の該片側面に装着され該レールの他側面上端部に作用する気密部材とから構成されているのが好適である。
【発明の効果】
【０００９】
本発明のアタッチメントを窓下框の下面に固定すると、窓下框は窓下枠のレールの片側面に隣接して隙間部材を装着してバリアフリー形態に変更された窓下枠に適合可能なものにせしめられ、かくして窓下框を含む窓框を新たな形状のものに代える必要性を回避してコストの増大を抑制することができる。
【図面の簡単な説明】
【００１０】
【図１】隙間部材が装着されてバリアフリー形態に変更された窓下枠と本発明に従って構成されたアタッチメントが固定された窓下框との関係を示す断面図。
【図２Ａ】図１に図示する窓下枠をバリアフリー形態に変更される前の状態で示す断面図。
【図２Ｂ】図１に図示する窓下枠をバリアフリー形態に変更された後の状態で示す断面図。
【図３Ａ】図１に図示する窓下框を、バリアフリー形態に変更されていない窓下枠に適用する場合の状態で示す断面図。
【図３Ｂ】バリアフリー形態に変更された窓下枠に適用可能な状態に変更するための、図３Ａに図示する窓下框における気密部材及び戸車機構が装着されていない窓下框を示す断面図。
【図３Ｃ】図３Ｂに図示する窓下框に、本発明に従って構成されたアタッチメントを固定してバリアフリー形態の窓下枠に適用可能にせしめた状態を示す断面図。
【図４】図１に図示する本発明に従って構成されたアタッチメントを示す断面図。
【発明を実施するための形態】
【００１１】
以下、添付図面を参照して、本発明に従って構成されたアタッチメントの好適実施形態について詳述する。
【００１２】
図１には、バリアフリー形態に変更された窓下枠２と、本発明に従って構成されたアタッチメント６を固定してバリアフリー形態に変更された窓下枠２に適用可能にせしめられた窓下框４との適合関係が図示されている。
【００１３】
図１と共に図２Ａを参照して説明すると、適宜の合成樹脂或いはアルミニウムの如き軽金属を押出成形することによって形成することができる窓下枠２は、横断面形状が略横長長方形である中空基部８を有し、この基部８の上面には室内側（図１において右側）から室外側（図１において左側）に向かって順次に室内側突出部１０、内側レール１２、外側レール１４及び室外側突出部１６が配設されている。室内側突出部１０、内側レール１２及び外側レール１４は実質上鉛直に上方に突出する中空形態であり、内側レール１２及び外側レール１４の上面には横断面が略半円形状である突条（図１に図示する如く、かかる突条には戸車の溝が係合せしめられる）が付設されている。室外側突出部１６は中空形態の下半部と実質上鉛直に突出する板形状である上半部から構成されている。かような窓下枠２は建造物の躯体（図示していない）の掃き出し窓の下縁を規定する部位に固定される。図示の窓下枠２自体は当業者には周知の形態であり、それ故にその詳細な説明は本明細書においては省略する。
【００１４】
図２Ａと共に図２Ｂを参照して説明を続けると、窓下枠２をバリアフリー形態に変更するために、図示の実施形態においては、内側レール１２の片側面（即ち図２Ｂにおいて右側面である室内側面）に隣接して隙間部材１８及び２０が装着され、外側レール１４の側面（即ち図２Ｂにおいて右側側面である室内側面）に隣接して隙間部材２２及び２４が装着され、そして更に室外側突出部１６に関連せしめて隙間部材２６が装着されている。これらの隙間部材１８、２０、２２、２４及び２６も適宜の合成樹脂或いはアルミニウムの如き軽金属を押出成形することによって形成することができる。隙間部材１８は底壁２８、この底壁２８の片側縁から実質上鉛直に上方に延出する片側壁３０、片側壁３０の上端から室内側に突出し次いで下方に若干だけ垂下する付加壁３２、及び底壁２８の他側縁から実質上鉛直に上方に延出する他側壁３４を有する。片側壁３０及び他側壁３４の相互に対向する内面には係止突条が形成されている。かような隙間部材１８はその底壁２８の下面を窓下枠２の基部８の上面に適宜の接着剤３５によって接合することによって窓下枠２に固定される。隙間部材２０は実質上水平に延在する上壁３６、この上壁３６の下面から垂下する一対の垂下壁３８及び４０並びに上壁３６の内側縁から垂下する付加垂下壁４２を有する。一対の垂下壁３８及び４０の外面には被係止突条が形成されている。かような隙間部材２０は一対の垂下壁３８及び４０を隙間部材１８の片側壁３０と他側壁３４との間に挿入して上記被係合突条を上記係合突条に係合することによって隙間部材１８に装着される。隙間部材２２は実質上水平に延在する底壁４４、この底壁４４の内側縁から実質上鉛直に上方に延出する片側壁４６、片側壁４６の上端から室内側に突出し次いで下方に若干だけ垂下する付加壁４８、及び底壁４４の他側縁から上方に向かって室外側に傾斜して延出し次いで実質上鉛直に上方に延出する他側壁５０を有する。片側壁４６の内面及び他側壁５０の鉛直部の内面には係合突条が形成されている。かような隙間部材２２は、図２Ｂにおいて紙面に垂直な方向に適宜の間隔をおいた複数個の位置で他側壁５０の傾斜部を通して窓下枠２の基部８に締結ネジ５２を螺着することによって窓下枠２に固定される。隙間部材２４は実質上水平に延在する上壁５４、この上壁５４の下面から垂下する一対の垂下壁５６及び５８、上壁５４の片側縁から垂下する付加垂下壁５９を有する。一対の垂下壁５６及び５８の外面には被係止突条が形成されている。かような隙間部材２４は一対の垂下壁５６及び５８を隙間部材２２の片側壁４６と他側壁５０との間に挿入して上記被係合突条を上記係合突条に係合することによって隙間部材２２に装着される。隙間部材２６は底壁６０、この底壁６０の外側端部から実質上鉛直に上方に延出する矩形中空部６２、中空部６２の上部外側面から室外側に突出する付加壁６４を有する。付加壁６４は下方に開放されたチャンネル形状部及びこのチャンネル形状部の上面から上方に突出する突出片部を含んでいる。かような隙間部材２６は図２Ｂにおいて紙面に垂直な方向に適宜の間隔をおいた複数個の位置で底壁６０を通して窓下枠２の基部８に締結ネジ６６を螺着することによって窓下枠２の基部８に固定される。図２Ｂを参照することによって理解される如く、隙間部材２０の上壁３６の上面、隙間部材２４の上壁５４の上面、隙間部材２６の中空部６２の上面及び付加壁６４の突出片部の上端は、内側レール１２の上面及び外側レール１４の上面と略同一の高さに位置する。
【００１５】
次に、図１と共に図３Ａを参照して窓下框４について説明する。図１及び図３Ａには実質上同一の２個の窓下框即ち内側窓下框及び外側窓下框４が図示されている。窓下枠２と同様に適宜の合成樹脂或いはアルミニウムの如き軽金属を押出成形することによって形成することができる窓下框４は横断面形状が略正方形である中空主部６８を有する。この中空主部６８の上方には適宜の様式によってガラス板（図示していない）が固着されるガラス板固着部７０が配設されている。中空主部６８の下面両側部には下方に鉛直に垂下する縦長矩形状である中空垂下部７２Ａ及び７２Ｂが配設されており、両者間に横断面形状が略矩形状で且つ下方に開放されている受入空間７４が規定されている。中空垂下部７２Ａ及び７２Ｂの対向する内面下部には、内側面が開放された装着溝７６Ａ及び７６Ｂが形成されている。図３Ａに図示する如く、窓下框４がバリアフリー形態に変更されていない窓下枠２に提供される場合には、装着溝７６Ａ及び７６Ｂの各々には気密部材７８Ａ及び７８Ｂが固定される。気密部材７８Ａ及び７８Ｂの各々は、適宜の接合手段によって装着溝７６Ａ及び７６Ｂの底面に固定される基部とこの基部に植設され装着溝７６Ａ及び７６Ｂを超えて突出する気密ブラシから構成されている。図３Ａを参照することによって理解される如く、長手方向における所定部位即ち戸車機構装着部位において、窓下框４の中空主部６８の下面壁の中央部が切除され、図３Ａに二転鎖線で図示する如く戸車機構８０の上半部を中空主部６８内に挿入せしめて、適宜の装着手段（図示していない）によって窓下框４に戸車機構８０が装着される。そして、窓下框４の戸車機構８０の戸車８２を窓下枠２の内側レール１２及び外側レール１４上に位置せしめて、窓下枠２に窓下框４が適用される。気密部材７８Ａ及び７８Ｂは内側レール１２及び外側レール１４の内側側面及び外側側面に夫々密接せしめられる。而して、窓下框４の上述したとおりの構成も周知の形態でよく、従ってかかる構成の詳細についても本明細書においては説明を省略する。
【００１６】
図４には、本発明に従って構成されたアタッチメント６の好適実施形態が図示されている。窓下枠２及び窓下框４と同様に適宜の合成樹脂或いはアルミニウムの如き軽金属を押出成形することによって形成することができるアタッチメント６は、窓下框２の延在方向、即ち図１及び図４において紙面に垂直な方向、に実質上水平に延在する主部８４、この主部８４の下面から実質上鉛直に垂下する垂下部８６、及び主部８４の上面に配設された中空突出部８８を有する。垂下部８６は主部８４の下面における室外側部から垂下せしめられており、その室内側面には室内側に開口されている装着溝９０が形成されている。主部８２の下面には、更に、中央部に下方に開放された装着溝９２が形成され、その室内側にも下方に開放された装着溝９４が形成されている。主部８４の上面における中央部に配設された中空突出部８８は、窓下框４の規定されている上記受入空間７４に対応して矩形状である。装着溝９０、９２及び９４には、気密手段を構成する気密部材９６、９８及び１００が夫々装着されている。気密部材９６は適宜の合成ゴムから形成されており、装着溝９０内に固定される基部と室内側に向かって上方に傾斜して延出する気密片とを有する。気密部材９８は装着溝９２の底面に固定された基部と下方に延出する気密ブラシとから構成され、同様に気密部材１００も装着溝９４の底面に固定される基部と下方に延出する気密ブラシとから構成されている。気密部材９８及び１００は適宜の合成樹脂から形成することができる。装着溝９０、９２及び９４に対する気密部材９６、９８及び１００の固定は、例えば長手方向両端部において接着剤による接合によって遂行することができる。上記中空突出部８８は縦長矩形状であり、幅方向に間隔をおいて主部８４の上面から上方に実質上鉛直に突出一対の直立壁部１０２及び１０４とこれらの直立壁部１０２及び１０４の上端間を延在する水平壁部１０６とを有する。直立壁部１０２及び１０４の外面には係止突条が形成されている。
【００１７】
主として図１及び図３Ｃを参照して説明を続けると、窓下枠２が上述したとおりにしてバリアフリー形態に変更された場合には、窓下框４として、装着溝７６Ａ及び７６Ｂに気密部材７８Ａ及び７８Ｂが装着されていない窓下框４を使用する（或いは気密部材７８Ａが装着されている窓下框４から気密部材７８Ａ及び７８Ｂを離脱する）。そして、窓下框４の下面にアタッチメント６を固定する。窓下框４の長手方向寸法（即ち図１及び図３Ａにおいて紙面に垂直な方向の寸法）とアタッチメント６の長手方向寸法（（即ち図１及び図３Ａにおいて紙面に首位直な方向の寸法）とは実質上同一でよい。
【００１８】
図１と共に図３Ｃを参照して説明を続けると、アタッチメント６は、その中空突出部８８を窓下框４の受入空間７４内に挿入し、主部８４の上面両側部を窓下框４の下面両側部、即ち中空垂下部７２Ａ及び７２Ｂの下面、に当接せしめると共に、中空突出部８８の水平壁部１０６の上面を窓下框４の主部６８の下面に当接せしめ、そして長手方向に間隔をおいた複数個の部位において水平壁部１０６を通して窓下框４の主部６８に締結ネジ１０８を螺合することによって、窓下框４に固定される。中空突出部８８の直立壁部１０２及び１０４の外面に形成されている係止突条は、窓下框４の中空垂下部７２Ａ及び７２Ｂの内面に形成されている装着溝７６Ａ及び７６Ｂを規定しているチャンネル形状部の上面に係止せしめられる。窓下框４に固定されるアタッチメント６においても、長手方向における所定部位即ち戸車機構装着部位において、主部８４の中央部、即ち中空突出部８８が付設されている部分が除去される。そして、戸車機構装着部位においては、適宜の装着手段（図示していない）を介して戸車機構１１０が窓下框４の主部６８に装着される。図３Ａと図３Ｃとを比較参照することによって理解されるとおり、窓下框４の下面にアタッチメント６を固定することによって窓下框４が下方に幾分延長されることになる。それ故に、バリアフリー形態に変更されていない窓下枠２に対してアタッチメント６を固定することなく窓下框４が使用される場合に装着される戸車機構８０と、バリアフリー形態に変更された窓下枠２に対してアタッチメント６を固定した窓下框４が使用される場合に装着される戸車機構１１０とは同一形態ではなく、アタッチメント６を固定した窓下框４が使用される場合に装着される戸車機構１１０の上下方向寸法は、アタッチメント６を固定することなく窓下框４が使用される場合に装着される戸車機構８０の上下方向寸法よりも幾分長い。更に付言すると、窓下框４の下面にアタッチメント６を固定することによって窓下框４が下方に幾分延長されることになる故に、窓下框４の下面にアタッチメント６を固定する場合には、窓左框及び窓右框（図示していない）の上下方向寸法即ち長手方向寸法を幾分短くすることが必要である。
【００１９】
図１を参照することによって明確に理解される如く、バリアフリー形態に変更された窓下枠２に、窓下框４の下面にアタッチメント６を固定した可動障子を組み合わせた場合、内側可動障子においては戸車機構１１０の戸車１１２の溝が内側レール１２の上面に形成されている突条に係合せしめられ、外側可動障子においては戸車機構１１０の戸車１１２の溝が外側レール１４の上面に形成されている突条に係合せしめられる。そして、アタッチメント６の垂下部８６の片側面即ち室内側面が内側レール１２又は外側レール１４の他側面即ち室外側面上端部に対向して位置し、アタッチメント６に配設されている密封部材９６、９８及び１００が、夫々、内側レール１２又は外側レール１４の外側側面上端部、内側レール１２又は外側レール１４の上面及び隙間部２０の上壁３６の上面又は隙間部材２４の上壁５４の上面に作用せしめられる。
【符号の説明】
【００２０】
２：窓下枠
４：窓下框
６：アタッチメント
１２：内側レール
１４：外側レール
１８：隙間部材
２０：隙間部材
２２：隙間部材
２４：隙間部材
２６：隙間部材
６８：窓下框の中空主部
７２Ａ：窓下框の中空垂下部
７２Ｂ：窓下框の中空垂下部
７４：窓下框の受入空間
８４：アタッチメントの主部
８６：アタッチメントの垂下部
８８：アタッチメントの中空突出部
９６：気密部材
９８：気密部材
１００：気密部材
１１０：戸車機構
１１２：戸車
【図１】
0006301781.tif 000002
【図２Ａ】
0006301781.tif 000003
【図２Ｂ】
0006301781.tif 000004
【図３Ａ】
0006301781.tif 000005
【図３Ｂ】
0006301781.tif 000006
【図３Ｃ】
0006301781.tif 000007
【図４】
0006301781.tif 000008